(57)【要約】【課題】好適な状態で容易に壁面に取り付けることができる表示装置を提供することを目的とする。【解決手段】壁面１０２に取り付けられる表示装置１である。表示装置１は、表示部１０を含む電気部品と、電気部品を収容するケース５０を形成し、表示部１０の表示面の側に配置されるフロントケース５２と、ケース５０を形成し、表示部１０の表示面と反対の側に配置され、表示装置１が壁面１０２に取り付けられた状態で壁面１０２に対向する背面部５６を含むリアケース５４と、電気部品に電気的に接続され、電気部品への入力信号及び電気部品からの出力信号を入出力するための配線８０と、を備える。背面部５６には、ケース５０の外部に通じ、配線８０が挿通される挿通口５８と、表示部１０の表示面の側に凹状で、一端部が挿通口５８に繋がり、他端部がリアケース５４の側面部に繋がる、配線８０を収容するための溝部６０と、が形成されている。【選択図】図２
2012058557.tif 000002
【特許請求の範囲】
【請求項１】
壁面に取り付けられる表示装置であって、
表示部を含む電気部品と、
前記電気部品を収容するケースを形成し、前記表示部の表示面の側に配置されるフロントケースと、
前記ケースを形成し、前記表示部の表示面と反対の側に配置され、前記表示装置が前記壁面に取り付けられた状態で前記壁面に対向する背面部を含むリアケースと、
前記電気部品に電気的に接続され、前記電気部品への入力信号及び前記電気部品からの出力信号を入出力するための配線と、を備え、
前記背面部には、
前記ケースの外部に通じ、前記配線が挿通される挿通口と、
前記表示部の表示面の側に凹状で、一端部が前記挿通口に繋がり、他端部が前記リアケースの側面部に繋がる、前記配線を収容するための溝部と、が形成されている表示装置。
【請求項２】
前記配線が挿通される貫通孔が形成されたブロック部を、さらに備え、
前記ブロック部は、前記挿通口に隣り合った状態で前記溝部の一端部に収容され、且つ前記挿通口から離間する方向への移動が規制された状態で、前記溝部に対して固定されている、請求項１に記載の表示装置。
【請求項３】
前記溝部は、第一の溝部と第二の溝部とに分岐し、
前記第一の溝部と前記第二の溝部と、は前記リアケースの異なる側面部にそれぞれ繋がっている、請求項１又は請求項２に記載の表示装置。
【請求項４】
前記挿通口は、前記表示装置が前記壁面に取り付けられた状態において前記表示装置の第一の方向に開口し、
前記溝部は、前記溝部の一端部の側の所定の部分において第一の方向に形成され、
前記第一の溝部は、第一の方向に交差する第二の方向のうちの一方側に向けて形成され、
前記第二の溝部は、第二の方向の一方側とは反対の他方側に向けて形成されている、請求項３に記載の表示装置。
【請求項５】
前記第一の溝部は、前記表示装置が前記壁面に取り付けられた状態において前記表示装置の上側となる前記リアケースの上側面部に繋がり、
前記第二の溝部は、前記表示装置が前記壁面に取り付けられた状態において前記表示装置の下側となる前記リアケースの下側面部に繋がっている、請求項３に記載の表示装置。
【請求項６】
前記挿通口は、前記表示装置が前記壁面に取り付けられた状態において前記表示装置の水平方向に開口し、
前記溝部は、
前記溝部の一端部の側の所定の部分において水平方向に形成され、
水平方向に形成された所定の第一の位置から、前記上側面部の方向又は前記下側面部の方向に形成され、
前記上側面部の方向又は前記下側面部の方向の所定の第二の位置で、前記第一の溝部と前記第二の溝部とに分岐している、請求項５に記載の表示装置。
【請求項７】
前記溝部は、前記配線の外径以上の深さである、請求項１から請求項６の何れか一項に記載の表示装置。
【発明の詳細な説明】
【技術分野】
【０００１】
本発明は、壁面に取り付けられる表示装置に関する。
【背景技術】
【０００２】
テレビ又は表示モニタ等の表示装置は薄型化され、壁面に取り付けて設置することもできる（例えば、特許文献１参照）。特許文献１には、浴室テレビと、チューナーと、カードスロットとが開示されている。特許文献１において、浴室テレビは、浴室の壁面に設置されている。チューナーは、浴室テレビ用の地上デジタル対応のチューナであって、浴室の天井裏に設置されている。カードスロットは、Ｂ−ＣＡＳ（登録商標）カードを挿入するものであって、浴室の隣室である脱衣室の壁面に取り付けられている。天井裏のチューナーと浴室内の浴室テレビは信号線である一の中継コードで接続されており、またチューナーとカードスロットは他の中継コードで接続されている。
【先行技術文献】
【特許文献】
【０００３】
【特許文献１】特開２００７−２８８７３８号公報
【発明の概要】
【発明が解決しようとする課題】
【０００４】
例えば特許文献１に開示されているように、表示装置には、所定の信号が外部装置から入力され、又は表示装置から外部装置に所定の信号が出力される。そのため、表示装置の外部に延びる所定の信号線が、表示装置の背面から取り出され及び／又は表示装置の内部に挿入されている。なお、表示装置への電源供給のための電源コードを、表示装置の背面から取り出すこともできる。このような信号線等の配線を背面に有する表示装置を、表示装置が取り付けられていない既存の壁面に、新たに設置する場合がある。このような場合、表示装置の背面と壁面との間に、配線を配置させるための隙間（空間）を形成する必要がある。しかし、隙間を形成すると、壁面に表示装置が取り付けられた状態において、表示装置が、隙間分だけ壁面から出っ張ってしまう。また、壁を工事等して配線を壁内に配置させるといった方法もあるが、この場合、壁を工事しなければならない。
【０００５】
本発明は、好適な状態で容易に壁面に取り付けることができる表示装置を提供することを目的とする。
【課題を解決するための手段】
【０００６】
上記従来の課題に鑑みなされた本発明の一側面は、壁面に取り付けられる表示装置であって、表示部を含む電気部品と、前記電気部品を収容するケースを形成し、前記表示部の表示面の側に配置されるフロントケースと、前記ケースを形成し、前記表示部の表示面と反対の側に配置され、前記表示装置が前記壁面に取り付けられた状態で前記壁面に対向する背面部を含むリアケースと、前記電気部品に電気的に接続され、前記電気部品への入力信号及び前記電気部品からの出力信号を入出力するための配線と、を備え、前記背面部には、前記ケースの外部に通じ、前記配線が挿通される挿通口と、前記表示部の表示面の側に凹状で、一端部が前記挿通口に繋がり、他端部が前記リアケースの側面部に繋がる、前記配線を収容するための溝部と、が形成されている表示装置である。これによれば、表示装置の背面部に形成された挿通口に配線を挿通し、この挿通口に繋がって形成された溝部に配線を収容することができる。
【０００７】
この表示装置は、次のような構成とすることもできる。前記配線が挿通される貫通孔が形成されたブロック部を、さらに備え、前記ブロック部は、前記挿通口に隣り合った状態で前記溝部の一端部に収容され、且つ前記挿通口から離間する方向への移動が規制された状態で、前記溝部に対して固定されている、ようにしてもよい。これによれば、挿通口に対して配線を好適な位置に設置することができる。なお、ブロック部と挿通口とが隣り合った状態には、ブロック部と挿通口とが隣接した状態の他、ブロック部と挿通口との間に所定の部材が介在している状態も含まれる。
【０００８】
また、前記溝部は、第一の溝部と第二の溝部とに分岐し、前記第一の溝部と前記第二の溝部と、は前記リアケースの異なる側面部にそれぞれ繋がっている、ようにしてもよい。これによれば、配線の引き出しの自由度を高めることができる。
【０００９】
また、前記挿通口は、前記表示装置が前記壁面に取り付けられた状態において前記表示装置の第一の方向に開口し、前記溝部は、前記溝部の一端部の側の所定の部分において第一の方向に形成され、前記第一の溝部は、第一の方向に交差する第二の方向のうちの一方側に向けて形成され、前記第二の溝部は、第二の方向の一方側とは反対の他方側に向けて形成されている、ようにしてもよい。これによれば、背面部において、ケースの外部に取り出された配線をスムーズに配置することができる。例えば、配線がケースの外部に取り出された直後に、配線を急激に曲げて配置しなければならないといった状況を防止することができる。
【００１０】
また、前記第一の溝部は、前記表示装置が前記壁面に取り付けられた状態において前記表示装置の上側となる前記リアケースの上側面部に繋がり、前記第二の溝部は、前記表示装置が前記壁面に取り付けられた状態において前記表示装置の下側となる前記リアケースの下側面部に繋がっている、ようにしてもよい。これによれば、天井側への配線の引き出し及び／又は床側への配線の引き出しを好適に行うことができる。
【００１１】
また、前記挿通口は、前記表示装置が前記壁面に取り付けられた状態において前記表示装置の水平方向に開口し、前記溝部は、前記溝部の一端部の側の所定の部分において水平方向に形成され、水平方向に形成された所定の第一の位置から、前記上側面部の方向又は前記下側面部の方向に形成され、前記上側面部の方向又は前記下側面部の方向の所定の第二の位置で、前記第一の溝部と前記第二の溝部とに分岐している、ようにしてもよい。これによれば、ケースの外部に取り出された配線を、表示装置（表示部）の長手方向に一致する水平方向に形成された溝部に収容することができる。背面部において、ケースの外部に取り出された配線をスムーズに配置することができる。例えば、配線がケースの外部に取り出された直後に、配線を急激に曲げて配置しなければならないといった状況を防止することができる。
【００１２】
また、前記溝部は、前記配線の外径以上の深さである、ようにしてもよい。これによれば、溝部に収容された配線が、溝部から壁面の側にはみ出してしまうことを防止することができる。つまり、背面部を壁面に接近及び／又は接触した状態で、表示装置を壁面に取り付けることができる。なお、配線の外径は、例えば、配線が複数あり束ねられている場合にあっては、複数の配線が束ねられた状態の外径を意味する。また、配線の外径は、例えば、配線が複数ありチューブ等に挿入されて束ねられている場合にあっては、チューブの外径を意味する。
【発明の効果】
【００１３】
本発明によれば、好適な状態で容易に壁面に取り付けることができる表示装置を得ることができる。
【図面の簡単な説明】
【００１４】
【図１】壁面に取り付けられた表示装置の一例を示す図である。
【図２】（ａ）は表示装置の背面図である。（ｂ）は（ａ）のＡ−Ａ線端面図であって、壁面に取り付けられた状態を示す図である。
【図３】背面部に形成された溝部の一端部と挿通口との一例を示す図である。
【図４】固定具の一例を示す図であって、ブロック部の固定を説明する図である。
【発明を実施するための形態】
【００１５】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。なお、図１〜図３に示す各方向（水平方向、鉛直方向及び／又は奥行方向）は、それぞれ一致する。
【００１６】
表示装置１は、図１に示すように、部屋又は浴室等の所定の空間１００を形成する壁面１０２に取り付けて利用される。なお、図１は、空間１００の壁面１０２のサイズと、表示装置１のサイズとの関係について、実際の寸法が考慮されて図示されたものではない。表示装置１は、所定のスタンドを用いれば、テーブル等のような平面に据え置くこともできる。表示装置１は、所定の画像を表示するモニタ装置である。表示装置１としては、例えば、液晶ディスプレイ、プラズマディスプレイ又は有機ＥＬディスプレイが例示される。表示装置１は、所定の外部装置に接続される。例えば、表示装置１は、自装置が設置された空間１００の天井裏等若しくはその空間１００内に設置された例えばデジタル放送用の外部チューナと接続される。この場合、表示装置１には、テレビ画像が表示される。表示装置１は、デジタル放送等を録画するための録画装置と接続される。この場合、表示装置１には、録画されたデータが再生された再生画像が表示される。なお、外部装置の位置は、例えば、表示装置１が壁面１０２に取り付けられた状態において表示装置１の上側（図１の鉛直方向「上」参照）であってもよいし、表示装置１の下側（図１の鉛直方向「下」参照）であってもよい。外部装置は、表示装置１に対して何れの位置に設置されていてもよい。
【００１７】
外部装置に接続される信号線等による配線８０（図１で不図示。図２（ａ），（ｂ）参照）は、表示装置１が壁面１０２に取り付けられた状態において、壁面１０２に沿って設置される。この場合、配線８０は、図１に示すように、壁面１０２に取り付けられた化粧カバー８２Ａ及び／又は化粧カバー８２Ｂに収容されることもある。以下では、表示装置１は、天井裏等に設置されたデジタル放送用の外部チューナに接続され、デジタル放送を視認することが可能であると共に、録画装置で再生された再生画像を視認することができる液晶表示装置であるとして説明する。
【００１８】
表示装置１は、所定の画像を表示するための表示部１０を備える。表示部１０は、液晶ユニットによって構成される。表示部１０は、アスペクト比が１６：９の表示面を有する。なお、図１において斜線が図示された範囲は、表示面を示す。表示部１０は、例えばアスペクト比が１６：１０等の表示面を有するものあってもよい。表示部１０としての液晶ユニットにおいて表示面の裏側には、表示部１０を動作させるための各種の電気部品（電子部品を含む）を含む電気回路が設けられる。なお、液晶ユニットは、従来から利用されている液晶ユニットを採用することが可能であり、その詳細についての説明は省略する。表示装置１は、スピーカ２０，２２と、受光部２４と、操作部３０とを備える。スピーカ２０，２２と、受光部２４と、操作部３０とは、図１に示すように表示装置１の前面側に設置される。スピーカ２０，２２は、音声を出力するためのものである。受光部２４は、次に説明する操作部３０と同等の機能を有するリモコンからの赤外線信号を受光する。操作部３０は、表示装置１への各種の指令を入力する際に、ユーザによって操作される。
【００１９】
操作部３０は、例えば図１に示すような、電源ボタン３２と、音量ボタン３４，３６と、選局ボタン３８，４０と、入力切替ボタン４２とによって構成される。電源ボタン３２は、表示装置１の電源をオン・オフするためのボタンである。音量ボタン３４，３６は、スピーカ２０，２２から出力される音量を調整するためのボタンである。ユーザは、音量をアップさせる場合には音量ボタン３４を押下し、ダウンさせる場合には音量ボタン３６を押下する。選局ボタン３８，４０は、チャンネルを選局するためのボタンである。ユーザは、チャンネルを順送りする場合には選局ボタン３８を押下し、逆送りする場合には選局ボタン４０を押下する。選局ボタン３８，４０を介して入力された選局指令は、選局指令伝達用の信号線を介して、外部チューナに入力される。入力切替ボタン４２は、表示部１０で表示させる画像の入力先を切り替えるためのボタンである。例えば、録画装置で再生された再生画像を視認しようとする場合、ユーザは入力切替ボタン４２を押下し、表示される画像の入力先を、録画装置の側に切り替える。
【００２０】
表示装置１は、表示部１０の他、ケース５０と、透明パネル７０とを備える。ケース５０は、分割構造を有し、フロントケース５２とリアケース５４とで形成される。フロントケース５２とリアケース５４とは、それぞれ、所定の樹脂を用いた射出成形等によって一体で形成される。フロントケース５２とリアケース５４とは、例えばそのそれぞれに設けられた爪構造が係合する等して、一体的なケース５０を構成する。ケース５０の内部には、上述した、表示部１０、スピーカ２０，２２、受光部２４及び操作部３０等の電気部品が収容される。フロントケース５２は、表示部１０の表示面の側に配置される。フロントケース５２には、開口が形成され、この開口には、表示部１０が挿入される。表示部１０が、この開口に挿入されると、図１に示すようになる。
【００２１】
リアケース５４について、図２（ａ），（ｂ）及び図３を参照して説明する。なお、図２（ａ）に示す水平方向の「左」「右」は、表示装置１を背面側から視認したとき、つまり図２（ａ）を正面視したときの「左」「右」を示すものである。図２（ｂ）及び図３に示す水平方向の「左」「右」は、図２（ａ）に示す「左」「右」に一致する。図２（ｂ）は、ケース５０の内部の状態について図示を省略している。リアケース５４は、有底筒状の形状を有する。リアケース５４の背面部５６には、挿通口５８が形成される。背面部５６は、リアケース５４の底部であって、表示装置１が壁面１０２に取り付けられた状態で、壁面１０２に対向する面である。挿通口５８は、リアケース５４の背面部５６を貫通する開口であって、一体をなしたケース５０（表示装置１）の内部と外部とを通じる開口である。挿通口５８は、表示装置１が壁面１０２に取り付けられた状態において、表示装置１の水平方向に開口している。挿通口５８は、表示装置１の水平方向の中心近傍で且つ鉛直方向の中心より下側の位置に形成されている。図２（ａ）に基づき説明すると、挿通口５８は、固定具９２が図示された位置で、点線（かくれ線）で図示されたブロック部８６の右側の位置に形成されている。
【００２２】
背面部５６には、表示部１０の表示面の側に凹状をした溝部６０が形成される。溝部６０は、例えば図３に示すように、その一端部が挿通口５８に繋がり、溝部６０の一端部の側の所定の部分は、その状態で水平方向の左側に向けて形成される。溝部６０の一端部は、幅Ｗ１に形成される。溝部６０の一端部の側の所定の部分は、水平方向の左側に向けて形成される。溝部６０一端部の側の所定の部分は、幅Ｗ１から、これより狭い幅Ｗ２となるように先すぼまり状に形成される。溝部６０は、幅Ｗ１の一端部及び先すぼまり状の部分を除き、幅Ｗ２の溝である。なお、挿通口５８が開口し、溝部６０の一端部の側の所定の部分が形成される方向（水平方向）は、アスペクト比が１６：９である表示部１０の横方向に一致する。溝部６０の深さＨは、後述する配線８０が挿通されたチューブ８４の外径φｄ以上に設定される。また、溝部６０の幅Ｗ２は、図２（ａ）に示すように、チューブ８４の外径φｄより大きく設定される。
【００２３】
水平方向に延びた幅Ｗ２の溝部６０は、図２（ａ）に示すように、Ｒ部で鉛直方向の下側に向けてｒ状に形成される。溝部６０は、ｒ状に曲げられた先の分岐点Ｓで、第一の溝部６２と第二の溝部６４とに分岐される。第一の溝部６２は、分岐点Ｓの近傍から、水平方向の右側に向けて形成される。第一の溝部６２は、図２（ａ）に示すＴ部で鉛直方向の上側に向かうように曲がり、挿通口５８の周りを半周程度囲むような形状に形成される。溝部６０の他端部であって、第一の溝部６２の分岐点Ｓと反対側の端部は、ケース５０の上側面及び下側面のうち、鉛直方向の上側の上側面（図１で矢印Ｊ１参照）を形成するリアケース５４の上側面部（図２（ａ）で矢印ｊ１参照。図２（ａ）で上側面部は不図示）に繋がる。第二の溝部６４は、分岐点Ｓから鉛直方向の下側に向けて形成される。溝部６０の他端部であって、第二の溝部６４の分岐点Ｓと反対側の端部は、ケース５０の上側面及び下側面のうち、鉛直方向の下側の下側面（図１で矢印Ｊ２が指す面参照。図１で下側面は不図示）を形成するリアケース５４の下側面部（図２（ａ）で矢印ｊ２参照。図２（ａ）で下側面部は不図示）に繋がる。
【００２４】
透明パネル７０は、例えば、ガラス、アクリル又はポリカーボネート等による透明な板によって形成される。透明パネル７０は、フロントケース５２の開口に表示部１０が挿入された状態において、表示部１０の表示面の前方に取り付けられる。ユーザは、表示部１０に表示されている所定の画像を、透明パネル７０を介して視認する。表示装置１において、スピーカ２０，２２が配置された位置に対応した透明パネル７０の部分には、開口が形成される。
【００２５】
上述したような各部を備える表示装置１において、リアケース５４の背面部５６に形成された挿通口５８には、各種の信号線等である配線８０が挿通される。ここで、信号線としては、次のようなものが例示される。例えば、表示部１０と外部チューナとを接続する信号線がある。この信号線は、外部チューナから画像信号を伝送する。表示部１０と録画装置とを接続する信号線がある。この信号線は、録画装置からの画像信号を伝送する。選局ボタン３８，４０と外部チューナとを接続する信号線がある。この信号線は、上述した通り、選局指令を伝送する。配線８０は、複数の信号線が束ねられた状態とされる。図２（ｂ）に示すケース５０（表示装置１）の内部に設置され、前述したように表示装置１の各部に接続される配線８０の一端の側を例に説明すると、配線８０の一端の側の所定の範囲を除く部分は、チューブ８４に挿通され、まとまった状態とされる。チューブ８４は、容易に変形可能な例えばゴム等によって形成された管状のものである。チューブ８４の一端の側には、ブロック部８６が取り付けられる。ブロック部８６は、チューブ８４と同様又は類似の材質で形成され、直方体状の形状をしている（図４で二点鎖線で示すブロック部８６参照）。ブロック部８６には、貫通孔８８が形成されている。貫通孔８８は、略真っ直ぐな形状とされている。配線８０が挿通されるチューブ８４は、貫通孔８８に所定の嵌合状態で挿通される。つまり、チューブ８４に挿通された配線８０は、この状態において貫通孔８８に挿通される。
【００２６】
配線８０が挿通されたチューブ８４は、挿通口５８からケース５０（表示装置１）の外部に取り出され、溝部６０に収容される。換言すれば、配線８０は、チューブ８４に挿通された状態で、挿通口５８からケース５０（表示装置１）の外部に取り出され、溝部６０に収容される。溝部６０の深さＨとチューブ８４の外径φｄとは、上述したように「Ｈ≧φｄ」であるから、奥行方向においてチューブ８４は、溝部６０内に完全に収容される。例えば、外部装置としての外部チューナが天井裏等に設置され、また、外部装置としての録画装置との接続が天井裏等を通して行われるとする。このような場合、配線８０が挿通されたチューブ８４は、第一の溝部６２及び第二の溝部６４を含む溝部６０のうち、第一の溝部６２に続く溝部６０に収容される。チューブ８４に挿通された状態で第一の溝部６２に収容され、リアケース５４の上側面部から引き出された配線８０は、図１に示すように、化粧カバー８２Ａに収容された状態で、天井裏等に向け壁面１０２に沿って設置される。一方、外部装置としての外部チューナが表示装置１より下側に設置され、また、外部装置としての録画装置との接続が表示装置１より下側で例えば床面に沿って行われるとする。このような場合、配線８０が挿通されたチューブ８４は、第一の溝部６２及び第二の溝部６４を含む溝部６０のうち、第二の溝部６４に続く溝部６０に収容される。チューブ８４に挿通された状態で第二の溝部６４に収容され、リアケース５４の下側面部から引き出された配線８０は、図１に示すように、化粧カバー８２Ｂに収容された状態で、例えば床面近傍を壁面１０２に沿って設置される。なお、図２（ａ）では、第一の溝部６２及び第二の溝部６４の両方に配線８０が挿通されたチューブ８４が収容された状態が図示されている。
【００２７】
チューブ８４が挿通された状態でブロック部８６は、挿通口５８に繋がった溝部６０の幅Ｗ１である一端部に収容される。ブロック部８６は、収容される溝部６０の一端部の形状に対応させた外形とされている。そして、貫通孔８８は、溝部６０の一端部にブロック部８６が収容されたとき、挿通口５８に一致するような位置に形成されている。従って、配線８０が挿通されたチューブ８４は、挿通口５８から直線的に取り出される。溝部６０の一端部に収容されたブロック部８６と、挿通口５８との間には、図２（ｂ）に示すように、パッキン９０が両者に圧縮された状態で設置される。パッキン９０は、ブロック部８６と同様、貫通孔を有し、この貫通孔にはチューブ８４が挿通される。パッキン９０は、挿通口５８における防水を確保するために設けられている。溝部６０の一端部に収容されたブロック部８６は、パッキン９０を介して、挿通口５８と隣り合う。この状態においてブロック部８６は、挿通口５８から離間する方向、つまり水平方向の左側への移動が規制されるようにして、溝部６０に対して固定される。ブロック部８６とパッキン９０とは、図４に示すように接触し、パッキン９０と挿通口５８（詳細には、挿通口５８が形成された面。図３参照）とは接触した状態となる。そのため、水平方向の左側に移動が規制されるようにして固定されたブロック部８６は、これと反対側の右側への移動も規制された状態となる。なお、図４においてパッキン９０は、二点鎖線で図示されている。表示装置１に対して、防水が要求されない場合、パッキン９０は省略してもよい。この場合、ブロック部８６と挿通口５８とは、隣接した状態となる。防水が要求される場合としては、表示装置１が浴室の壁面１０２に取り付けられるような場合が例示される。この場合、表示装置１は、パッキン９０の他、所定の箇所において、所定の防水構造を有する。
【００２８】
ブロック部８６の固定について、図４を参照して説明する。なお、図４の水平方向の「左」「右」は、図２（ａ），（ｂ）に示す「左」「右」に一致する。また、図４においてブロック部８６及び貫通孔８８は、二点鎖線で図示されている。ブロック部８６の固定には、固定具９２が用いられる。固定具９２は、例えば鋼板にプレス加工等を施し、一体的に形成される。固定具９２は、平面部９４と、２個の爪部９６と、２個の穴９８とを備える。平面部９４は、ブロック部８６の固定に際し、幅Ｗ１の溝部６０の一端部を横断する。平面部９４は、このような状態において、中央部がブロック部８６の上面Ｍに接し、中央部の両端部が背面部５６に接する。つまり、平面部９４は、溝部６０の一端部に収容されたブロック部８６が、溝部６０の一端部から奥行方向に抜け落ちないようにするためのものである。爪部９６は、平面部９４の水平方向の左側の側辺部から奥行方向（表示部１０の表示面の側）に、略直角に折り曲げられて形成されている。爪部９６は、ブロック部８６の固定に際し、貫通孔８８が形成された側面のうち、挿通口５８と対向しない側面Ｎに接する。つまり、爪部９６は、溝部６０の一端部に収容されたブロック部８６が、水平方向の左側に移動することを規制するためのものである。穴９８は、ねじ９９を通すためのものである。２個の穴９８に通された２個のねじ９９は、それぞれが背面部５６に形成された２個のねじ穴５７（図３参照）に締結され、これによって、固定具９２がリアケース５４に固定される。つまり、固定具９２が、このようにしてリアケース５４の背面部５６に固定されることによって、上述したような状態でブロック部８６が固定される。
【００２９】
本実施形態によれば、配線８０、上記に基づけば配線８０が挿通されたチューブ８４が、溝部６０に収容された状態で、表示装置１を壁面１０２に取り付けることができる。そのため、表示装置１を壁面１０２に取り付けるに際し、配線８０を配置させるための隙間（空間）を、特別に設ける必要がない。また、壁面１０２を工事等しなくてもよい。つまり、表示装置１を壁面１０２に容易に取り付けることができる。
【００３０】
本実施形態は、次のようにすることもできる。上記では、図２（ａ）に示すような形状に配置された溝部６０を例に説明した。溝部６０の配置は、種々の点を考慮し、自由な配置とすることができる。他の例による溝部６０について説明する。なお、以下では、上述した各構成に対応する各構成については、上記と同一の符号を用いて説明する。また、以下に示す方向は、図２（ａ）に示す方向に一致する。以下に示す他の例による溝部６０において、溝の幅Ｗ１，Ｗ２及び深さＨは、上記同様である。従って、これに関する説明は省略する。
【００３１】
他の例による溝部６０は、図２（ａ）と同じく、挿通口５８に繋がった溝部６０の一端部の側の所定の部分が、水平方向の左側に向けて形成される。水平方向に延びた溝部６０は、図２（ａ）に示すＲ部において図２（ａ）とは異なり、鉛直方向の上側に向けてｒ状に形成される。溝部６０は、ｒ状に曲げられた先で、第一の溝部６２と第二の溝部６４とに分岐される。第一の溝部６２は、分岐点Ｓから、鉛直方向の上側に向けて形成され、図２（ａ）と同様の位置で、リアケース５４の上側面部に繋がる。第二の溝部６４は、分岐点Ｓの近傍から、水平方向の右側に向けて形成される。第二の溝部６４は、背面部５６の所定の位置で鉛直方向の下側に向かうように曲がり、挿通口５８の周りを半周程度囲むような形状に形成される。溝部６０の他端部であって、第二の溝部６４の分岐点Ｓと反対側の端部は、図２（ａ）と同様の位置で、リアケース５４の下側面部に繋がる。
【００３２】
ところで、背面部５６において挿通口５８が図２（ａ）に示す位置に形成され、上述した他の例による溝部６０において溝部６０の一端部の側の水平に形成された部分が、図２（ａ）に示す溝部６０と同一の長さ寸法であるとする。この場合、第一の溝部６２と第二の溝部６４とは、表示部１０の表示面に重なり合うようにし且つ表示面の中心近傍に配置されることとなる。従って、溝部６０の底部と表示部１０との間に、例えば図２（ａ）のように配置された溝部６０の場合と同程度の隙間を確保しようとすると、表示装置１の奥行寸法Ｄ（図２（ｂ）参照）を大きくする必要がある。図２（ａ）のようにすると、背面部５６の外周側に沿って溝部６０が配置されるため、溝部６０と表示部１０とが重なり合う部分を少なくすることができる。そのため、溝部６０を形成したとしても、表示装置１の奥行寸法Ｄが増加することを抑制可能で、表示装置１の薄型化が要求される場合においては有効である。表示装置１の薄型化に関する要求が小さい場合については、上述した他の例による溝部６０を採用することもできる。これによれば、上記同様、壁面１０２への取り付けを容易に行うことが可能な表示装置１とすることができる。
【００３３】
背面部５６における溝部６０の配置は、さらに異なるようにしてもよい。例えば、挿通口５８が形成された面を基準として図２（ａ）に示す溝部６０と左右対称な溝部６０としてもよい。また、上記同様に挿通口５８に繋がった溝部６０は、そのままの状態でリアケース５４の左側面部に繋がる。このように形成された溝部６０の所定の位置から別の溝部６０が分岐し、分岐された別の溝部６０は、所定の方向に曲げられ、リアケース５４の上側面部、下側面部又は右側面部に繋がる。分岐された別の溝部６０を複数とし、上側面部、下側面部又は右側面部の少なくとも何れか２側面部に繋がるようにしてもよい。つまり、溝部６０は、合計で３個以上の側面部に繋がる。この場合についても、挿通口５８が形成された面を基準として、このような溝部６０と左右対称な溝部６０としてもよい。この他、挿通口５８が、表示装置１が壁面１０２に取り付けられた状態において、表示装置１の鉛直方向に開口するようにしてもよい。この場合、溝部６０の一端部の側の所定の部分は、鉛直方向の上側又は下側に向けて形成され、少なくとも２方向に分岐される。分岐された溝部６０それぞれは、上側面部、下側面部又は右側面部の何れかに繋がる。例えば、分岐された溝部６０の一つは、水平方向の左側に向けて形成された部分を含み、リアケース５４の水平方向の左側面部に繋がる。分岐された溝部６０の他の一つは、水平方向の右側に向けて形成された部分を含み、リアケース５４の水平方向の右側面部に繋がる。
【符号の説明】
【００３４】
１  表示装置
１０  表示部
５０  ケース
５２  フロントケース
５４  リアケース、  ５６  背面部、  ５８  挿通口
６０  溝部、  ６２  第一の溝部、  ６４  第二の溝部
８０  配線
１００  空間、  １０２  壁面
【図１】
2012058557.tif 000003
【図２】
2012058557.tif 000004
【図３】
2012058557.tif 000005
【図４】
2012058557.tif 000006